(57)【要約】【課題】  記録媒体の排出に連動させて、情報データの記憶状態を変更する。【解決手段】  ＡＶＨＤＤ１０２は、デジタルビデオカメラ１０１より情報データの記録中に送信された情報データを記憶装置に書き込み、デジタルビデオカメラ１０１からの記録媒体の排出を検出した場合には、それに応じて記憶装置への情報データの書き込み動作を制御する。【選択図】  図１
2007066383.tif 000002
【特許請求の範囲】
【請求項１】
記録媒体に対して情報データを記録する記録装置より、前記情報データの記録中に送信された前記情報データを受信する受信手段と、
前記受信手段により受信された情報データを記憶装置に書き込む記憶手段と、
前記記録装置からの前記記録媒体の排出を検出したことに応じて前記記憶手段による書き込み動作を制御する制御手段とを備えることを特徴とする受信装置。
【請求項２】
前記記憶手段は、前記情報データをファイル形式で前記記憶装置に書き込み、前記制御手段は、前記記録装置からの前記記録媒体の排出を検出したことに応じて新たなファイルを生成するよう前記記憶手段を制御することを特徴とする請求項１記載の受信装置。
【請求項３】
前記制御手段は、新たに前記ファイルを生成した後、前記記録装置からの前記記録媒体の排出を検出するまでの間に前記受信手段により受信した情報データを同一のファイルに格納するよう前記記憶手段を制御することを特徴とする請求項２記載の受信装置。
【請求項４】
前記記憶手段は前記情報データをファイル形式で前記記憶装置に書き込み、前記制御手段は前記記録装置による前記記録媒体に対する記録開始から記録停止までの間に前記受信手段により受信された情報データを一つのファイルに格納すると共に、前記記録装置からの前記記録媒体の排出を検出したことに応じて前記ファイルを格納する新たなフォルダを生成するよう前記記憶手段を制御することを特徴とする請求項１記載の受信装置。
【請求項５】
前記制御手段は、新たに前記フォルダを生成した後、前記記録装置からの前記記録媒体の排出を検出するまでの間に前記生成したファイルを同一のフォルダに格納するよう前記記憶手段を制御することを特徴とする請求項４記載の受信装置。
【請求項６】
記録媒体に対して情報データを記録する記録装置と通信回線を介して接続される受信装置の制御方法であって、
前記情報データの記録中に送信された前記情報データを前記記録装置より受信する受信ステップと、
前記受信ステップにより受信された情報データを記憶装置に書き込む記憶ステップとを含み、
前記記録装置からの前記記録媒体の排出を検出したことに応じて前記記憶ステップによる書き込み動作を制御することを特徴とする受信装置の制御方法。
【請求項７】
請求項６に記載の受信装置の制御方法をコンピュータに実行させるためのプログラム。
【請求項８】
請求項７に記載のプログラムを記録したコンピュータ読み取り可能な記録媒体。
【発明の詳細な説明】
【技術分野】
【０００１】
本発明は、記録媒体に対して情報データを記録する記録装置より、その情報データを受信し記憶装置に書き込むことが可能な受信装置及びその制御方法に関するものである。
【背景技術】
【０００２】
従来、画像を撮影して磁気テープに記録するビデオカメラが知られている。また、磁気テープに対して画像データを記録しながら、外部に接続された記録装置に対して画像データを送信して記録するシステムも提案されている（例えば、特許文献１参照）。
【０００３】
このシステムでは、ビデオカメラの記録開始、停止に連動して、外部記録装置の記録開始、停止を制御する。具体的には、外部記録装置としてＨＤＤドライブ等が用いられ、ビデオカメラの記録と記録待機の動作の手続きごとにファイルのオープンとクローズを繰り返し、１つのファイルとして画像データを記録している。
【０００４】
【特許文献１】特開２００２−２１８３６５号公報
【発明の開示】
【発明が解決しようとする課題】
【０００５】
しかしながら、特許文献１においては、デジタルビデオカメラのテープが終了し、そのテープを抜いて、新しいテープを挿入して再び記録を行った場合もＨＤＤドライブには同じファイルで生成されるため、そのファイルと同じ内容が記録されたテープが複数に分かれてしまい、ファイルとテープで同じ分類ができないという問題があった。
【０００６】
そこで、本発明の目的は、記録媒体の排出に連動させて、情報データの記憶状態を変更することにある。
【課題を解決するための手段】
【０００７】
本発明の受信装置は、記録媒体に対して情報データを記録する記録装置より、前記情報データの記録中に送信された前記情報データを受信する受信手段と、前記受信手段により受信された情報データを記憶装置に書き込む記憶手段と、前記記録装置からの前記記録媒体の排出を検出したことに応じて前記記憶手段による書き込み動作を制御する制御手段とを備えることを特徴とする。
本発明の受信装置の制御方法は、記録媒体に対して情報データを記録する記録装置と通信回線を介して接続される受信装置の制御方法であって、前記情報データの記録中に送信された前記情報データを前記記録装置より受信する受信ステップと、前記受信ステップにより受信された情報データを記憶装置に書き込む記憶ステップとを含み、前記記録装置からの前記記録媒体の排出を検出したことに応じて前記記憶ステップによる書き込み動作を制御することを特徴とする。
本発明のプログラムは、前記受信装置の制御方法をコンピュータに実行させることを特徴とする。
本発明のコンピュータ読み取り可能な記録媒体は、前記プログラムを記録したことを特徴とする。
【発明の効果】
【０００８】
本発明においては、記録媒体に対して情報データを記録する記録装置より、情報データの記録中に送信された情報データを記憶装置に書き込む際に、記録装置からの記録媒体の排出の検出に応じて記憶装置に対する情報データの書き込み動作を制御するように構成している。従って、本発明によれば、記録媒体の排出に連動させて、情報データの記憶状態を変更することが可能となる。
【発明を実施するための最良の形態】
【０００９】
以下、本発明の好適な実施形態を、添付図面を参照しながら詳細に説明する。
【００１０】
−第１の実施形態−
先ず、本発明の第１の実施形態について説明する。図１は、本発明の第１の実施形態に係るデータ転送システムの構成を示す図である。図１において、１０１は本実施形態におけるデータ記録送信装置の一例であるデジタルビデオカメラである。Ｔはデジタルビデオカメラ１０１に挿入されているビデオテープ、２０９はデジタルビデオカメラ１０１の記録動作を指示するトリガボタンである。１０２は本実施形態におけるデータ受信記録装置の一例であるＡＶＨＤＤである。１０３はデジタルビデオカメラ１０１とＡＶＨＤＤ１０３との間を接続する伝送媒体の一例であるＩＥＥＥ１３９４ケーブルである。
【００１１】
デジタルビデオカメラ１０１はユーザがトリガボタン２０９を繰り返し押すことによって、ビデオテープＴへの撮影された画像データの記録と記録待機を繰り返す。デジタルビデオカメラ１０１で撮影されている画像データはＩＥＥＥ１３９４シリアルバスのアイソクロナスパケットに変換されて、ＩＥＥＥ１３９４端子から出力される。ビデオカメラ１０１はＩＥＥＥ１３９４ケーブル１０３でＡＶＨＤＤ１０２に接続されており、ＡＶＨＤＤ１０２はデジタルビデオカメラ１０１からのアイソクロナスパケットを受信する。
【００１２】
ＡＶＨＤＤ１０２は、映像のアイソクロナスパケットを受信して記録を行うＡＶ専用のハードディスクドライブである。ＡＶＨＤＤ１０２は、デジタルビデオカメラ１０１の現在の動作状態を検出する。具体的に説明すると、まず、ＡＶＨＤＤ１０２は、現在の動作状態を問い合わせるためのコマンドを生成し、そのコマンドをデジタルビデオカメラ１０１に送信する。デジタルビデオカメラ１０１は、現在の動作状態を検出して現在の動作状態を示すデータを格納したレスポンスを生成し、そのレスポンスをＡＶＨＤＤ１０２に送信する。尚、上述のコマンド及びレスポンスは、ＦＣＰ(Function Control Protocol)を用い、ビデオカメラ１０１の現在の動作状態を検出するコマンドはTransportStateコマンドである。
【００１３】
図２にTransportStateコマンドのパケットを示す。図２はＩＥＥＥ１３９４規格で定められたアシンクパケット構造の中で使用されるWriteトランザクションを用いて通信されるＦＣＰのフレーム構造になっている。図２において、OPECODEフィールドは、TransportStateコマンドコードを格納するフィールドであり、このコマンドがTransportStateコマンドを示すパケットであることを表している。OPERAND(0)フィールドは、ダミーのコード７Fを書き込むフィールドであり、このコマンドに対するレスポンスコードがレスポンスコマンドでは挿入される。
【００１４】
次に、ビデオカメラ１０１について、図３を用いて説明する。図３はビデオカメラ１０１の要部構成を示すブロック図である。
【００１５】
撮像部２０１は被写体を撮影して動画像データを生成し、バス２１３に出力する。信号処理部２０２は、記録時においては撮像部２０１から出力された動画像データを周知の符号化方式で符号化し、記録再生制御部２１２に出力し、再生時においては磁気テープＴから再生された動画像データを復号して表示制御部２１０に出力する。メイン制御部２０３はバス２１３を介して各構成要素と接続され、メイン制御部２０３上で動作するソフトウェアによって各構成要素の制御指示を行う。通信制御部２０４は、外部の機器、すなわち図１におけるＡＶＨＤＤ１０２とコネクタ２０５を介してＩＥＥＥ１３９４ケーブル１０４で接続された場合に通信制御を行う。２０６は内部メモリで、メイン制御部２０３にて用いる各種のソフトウェアや、ＡＶＨＤＤ１０２から送信された各種の情報などを記憶する。
【００１６】
入力操作制御部２０７は、操作部２０８に対してユーザが入力を行った場合のキー情報を判別し、メイン制御部２０３上で動作するソフトウェアに対して通知する。また操作部２０８は、トリガスイッチ２０９が具備されている。
【００１７】
表示制御部２１０は表示部２１１に対して表示する画像を生成し表示を制御する。記録再生制御部２１２は、磁気テープＴに対して、撮影したデータの記録、再生、また読み出したデータを内部メモリ２０６に転送する制御を行う。再生されたデータは、通信制御部２０４を介して外部に送信するか、表示制御部２１０を介して表示部２１１へ転送される。
【００１８】
ＡＶＨＤＤ１０２の主要部の構成を示すブロック図を図４に示す。図４に示すように、ＡＶＨＤＤ１０２は、装置全体の制御を司るメイン制御部（ＣＰＵで構成される）３０１、オペレーティングシステム（ＯＳ）や各種アプリケーションをロードしたり、ＨＤＤ３０３に対してデータを書き込む際にバッファ領域として使用される内部メモリ３０２、ＯＳ、及び、本実施形態で用いる記録制御用のアプリケーションを含む各種のアプリケーションプログラムを格納するとともに、受信した画像、音声データを記憶するハードディスクドライブ（ＨＤＤ）３０３、マウス等のポインティングデバイスやキーボードで構成される入力装置３０５からの入力を受けてメイン制御部３０１に出力する入力操作制御部３０４、ＵＳＢホストコネクタ３０７を介してデータを送受信する通信制御部３０６、ＣＲＴや液晶表示器等で構成される表示部３０９へのビデオ信号を出力したり、メイン制御部３０１からの要求に対して内部のビデオメモリへの描画する表示制御部３０８、各機能ブロックの間でデータを送受信するデータバス３１０を備える。
【００１９】
ＡＶＨＤＤ１３の動作を図５にフローチャートとして示す。ビデオカメラ１０１とＡＶＨＤＤ１０２が接続されると、ＡＶＨＤＤ１０２のアプリケーションが起動し、新たなファイルを作成する。この状態ではＥフラグを０に設定する。ＥフラグはＥＪＥＣＴフラグのことであり、通常は０に設定されている。
【００２０】
そして、ＡＶＨＤＤ１０２は、周期的にTransportStateコマンドをデジタルビデオカメラ１０１へ送信すると（ステップＳ５０１）、デジタルビデオカメラ１０１は現在の動作状態が記録のときにはRecordステータス、記録待機のときにはRecordPauseステータスをレスポンスとして返す。ＡＶＨＤＤ１３はTransportStateコマンドをデジタルビデオカメラ１０１へ送信した後、レスポンスがRecordステータス、RecordPauseステータス又はEJECTステータスであるかを判断する（ステップＳ５０２）。
【００２１】
ＡＶＨＤＤ１０２は、レスポンスがRecordステータスである場合、次にＥフラグの値を判定する（ステップＳ５０８）。Ｅフラグが０である場合、即ちEJECTステータスのレスポンスを受信していない期間中、今まで記録していたファイルと同じファイルをオープンし（ステップＳ５０９）、受信している画像データを記録する（ステップＳ５１０）。
【００２２】
一方で、ステップＳ５０２の判定の結果、レスポンスがRecordPauseステータスである場合、ＡＶＨＤＤ１０２は次にＥフラグの値を判定する（ステップＳ５０５）。Ｅフラグが０である場合、即ちEJECTステータスのレスポンスを受信していない期間中である場合、画像データの記録を中止しファイルをクローズする（ステップＳ５０６、ステップＳ５０７）。
【００２３】
その後、再びRecordステータスのレスポンスを受信し、画像データをＡＶＨＤＤ１０２側にて保存する場合、EJECTステータスのレスポンスを受信していない（Ｅフラグが０である）期間中においては、前回のステップＳ５１１で生成され、今まで記録していたファイルをオープンし、画像データの追加記録を行なう。つまり、磁気テープＴに記録された内容と同じ内容がＡＶＨＤＤ１０２のＨＤＤにも１つのファイルとして記録されていく。
【００２４】
次に磁気テープＴをユーザが交換したときの動作について説明する。記録中に磁気テープＴが終了したり、意図的に磁気テープＴを交換する場合、ユーザはデジタルビデオカメラ１０１のEJECTボタンを押す。EJECTボタンが押されるとデジタルビデオカメラ１０１は、アンローディングと呼ばれるテープ巻取り動作の後に磁気テープＴを排出し、ユーザは磁気テープＴを取り出すことができる。そのとき、ＡＶＨＤＤ１０２から送られてくるTransportStateコマンドに対するレスポンスはEJECTステータスになる。ＡＶＨＤＤ１０２はこのEJECTのレスポンスを検出した場合、今まで記録してきたファイルをクローズし（ステップＳ５０３）、１つのファイルの生成を終了する。そして、イジェクトされたことを示すＥフラグの値を１にする（ステップＳ５０４）。
【００２５】
今度はユーザが新しい磁気テープＴをデジタルビデオカメラ１０１に装着すると、デジタルビデオカメラ１０１はローディング動作を行い、記録待機状態になる。同様に、ＡＶＨＤＤ１０２から送られてくるTransportStateコマンドに対するレスポンスはRecordPauseステータスになり、RecordPauseステータスを検出したＡＶＨＤＤ１０２は、ステップＳ５０５においてＥフラグが１であると判定するため何も動作しない。そして、ユーザが再びトリガボタン２０９を押して記録を始めるとTransportStateコマンドに対するレスポンスはRecordステータスになり、Recordステータスを検出したＡＶＨＤＤ１０２は、Ｅフラグが１のために新規ファイルをオープンし（ステップＳ５１１）、Ｅフラグを０に戻して画像データの記録を行う（ステップＳ５１２、ステップＳ５１０）。そして、その後再び上記動作を繰り返す。
【００２６】
このように本実施形態では、テープが取り出される場合、ＡＶＨＤＤ１０３側においてファイルが新たに生成され、テープ毎にファイルが生成されていくため、ファイルとテープとで記録する内容を同じように分類することができ、ユーザが後でテープと同じ画像データが記録されたファイルを容易に見つけることができる。
【００２７】
なお、本発明は、上記の実施形態に限定されるものではなく、様々な実施形態にも適用可能である。例えば、上記の実施形態における伝送媒体は、ＩＥＥＥ１３９４シリアルバスに限定されるものではなく、ＩＥＥＥ１３９４シリアルバスをそれ以外の伝送媒体（例えば、ＵＳＢ）に置き換えることも可能である。
【００２８】
−第２の実施形態−
次に、本発明の第２の実施形態について説明する。上述した第１の実施形態は、ＡＶＨＤＤ１０２はデジタルビデオカメラ１０１のトリガボタン２０９が押され、記録と記録待機を繰り返していく場合、同じファイルに画像データを追加して１つのファイルを生成するものである。それに対し、本実施形態では、ＡＶＨＤＤ１０２は、デジタルビデオカメラ１０１が記録と記録待機が繰り返される度に１つのファイルを生成するものである。なお、本実施形態に係るデータ伝送システムの構成、デジタルビデオカメラの構成及びＡＶＨＤＤ１０３の構成は、上述した第１の実施形態と同様であるため、説明は省略する。
【００２９】
本実施形態におけるＡＶＨＤＤ１０２の動作を図６にフローチャートとして示す。ビデオカメラ１０１とＡＶＨＤＤ１０２が接続されると、ＡＶＨＤＤ１０２のアプリケーションが起動し、新たなフォルダを作成する。この状態ではＥフラグを０に設定する。これ以降、磁気テープＴのイジェクトを検出するまでの間に生成されるファイルは全てこのフォルダに格納される。
【００３０】
そして、ＡＶＨＤＤ１０２は、周期的にTransportStateコマンドをデジタルビデオカメラ１０１へ送信すると（ステップＳ６０１）、デジタルビデオカメラ１０１は現在の動作状態が記録のときにはRecordステータス、記録待機のときにはRecordPauseステータスをレスポンスとして返す。ＡＶＨＤＤ１３はTransportStateコマンドをデジタルビデオカメラ１０１へ送信した後、レスポンスがRecordステータス、RecordPauseステータス又はEJECTステータスであるかを判断する（ステップＳ６０２）。
【００３１】
ＡＶＨＤＤ１０２は、レスポンスがRecordステータスである場合、次にＥフラグの値を判定する（ステップＳ６０８）。Ｅフラグが０である場合、新たなファイルをオープンし（ステップＳ６０９）、受信している画像データを記録する（ステップＳ６１０）。
【００３２】
一方で、ステップＳ６０２の判定の結果、レスポンスがRecordPauseステータスである場合、ＡＶＨＤＤ１０２は次にＥフラグの値を判定する（ステップＳ６０５）。Ｅフラグが０である場合、画像データの記録を中止しファイルをクローズする（ステップＳ６０６、ステップＳ６０７）。
【００３３】
その後、再びRecordステータスのレスポンスを受信し、画像データをＡＶＨＤＤ１０２側にて保存する場合、EJECTステータスのレスポンスを受信していない（Ｅフラグが０である）期間中においては、ステップＳ６０９において新たなファイルがオープンされ、当該ファイルにRecordステータスのレスポンス受信後の画像データを記録する。このファイルは例えば始めに生成されたフォルダ内において管理される。つまり、EJECTステータスのレスポンスを受信していない期間中においては記録、記録待機が繰り返される度にファイル名を変更して（例えばファイル名を日付から生成し、その後の番号をシーケンシャルに生成していく）、新しいファイルを生成していく。生成される各ファイルは同一のフォルダ内に格納される。
【００３４】
また、記録中に磁気テープＴが終了したり、意図的に磁気テープＴを交換する場合、ユーザはデジタルビデオカメラ１０１のEJECTボタンを押す。EJECTボタンが押されるとＡＶＨＤＤＤ１０２から送られてくるTransportStateコマンドに対するレスポンスはEJECTステータスになる。ＡＶＨＤＤ１０２はこのEJECTステータスのレスポンスを検出した場合、今まで記録してきたファイルをクローズし終了する（ステップＳ６０３）。そして、イジェクトされたことを示すＥフラグの値を１にする（ステップＳ６０４）。
【００３５】
その後、ユーザが新しい磁気テープＴをデジタルビデオカメラ１１に装着すると、ＡＶＨＤＤ１０２から送られてくるTransportStateコマンドに対するレスポンスはRecordPauseステータスになり、ステップＳ６０５においてRecordPauseステータスを検出したＡＶＨＤＤ１０２は、Ｅフラグの値が１のため、何もしない。
【００３６】
そして、ユーザが再びトリガボタン２０９を押して記録を始めるとＥフラグの値が１であるため、ＡＶＨＤＤ１０２は、今までのフォルダとは違う新しいフォルダ及び新しいファイルを作成する（ステップＳ６１１）。そして、Ｅフラグの値を０にし（ステップＳ６１２）、作成した新しいファイルに画像データを記録する（ステップＳ６１０）。
【００３７】
このように本実施形態によれば、記録−記録待機動作の度に作成するファイルをテープ毎に異なるフォルダに格納するようにしている。従って、フォルダとテープとで記録する内容を同じように分類することができ、ユーザが後でテープと同じ画像が記録されたファイルを容易に見つけることが可能となる。
【００３８】
なお、前述の各実施形態では、磁気テープに対して画像データを記録するデジタルビデオカメラと、ＨＤＤに対して画像データを保存するＡＶＨＤＤとからなるシステムについて説明した。これ以外にも、例えば、磁気テープに代えて光ディスクやメモリカードに対して画像データや音声データなどを記録再生するビデオカメラを用いることも可能である。また、ＡＶＨＤＤに代えて、一般のパソコンを用いることももちろん可能である。また、保存先も、ＨＤＤ以外にも光ディスクなどのディスクメディアや、その他のメディアを用いることも可能である。
【００３９】
また、本発明の目的は、前述した実施形態の機能を実現するソフトウェアのプログラムコードを記録した記憶媒体を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【００４０】
この場合、記憶媒体から読み出されたプログラムコード自体が前述した実施形態の機能を実現することになり、プログラムコード自体及びそのプログラムコードを記憶した記憶媒体は本発明を構成することになる。
【００４１】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００４２】
また、コンピュータが読み出したプログラムコードを実行することにより、前述した実施形態の機能が実現されるだけでなく、そのプログラムコードの指示に基づき、コンピュータ上で稼動しているＯＳ(基本システム或いはオペレーティングシステム)などが実際の処理の一部又は全部を行い、その処理によって前述した実施形態の機能が実現される場合も含まれることは言うまでもない。
【００４３】
さらに、記憶媒体から読み出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれることは言うまでもない。
【図面の簡単な説明】
【００４４】
【図１】本発明の第１及び第２の実施形態に係るデータ転送システムの構成を示す図である。
【図２】TransportStateコマンドのパケットを示す図である。
【図３】ビデオカメラの要部構成を示すブロック図である。
【図４】ＡＶＨＤＤの主要部の構成を示すブロック図である。
【図５】本発明の第１の実施形態におけるＡＶＨＤＤの動作を示すフローチャートである。
【図６】本発明の第２の実施形態におけるＡＶＨＤＤの動作を示すフローチャートである。
【符号の説明】
【００４５】
１０１  デジタルビデオカメラ
１０２  ＡＶＨＤＤ
１０３  ＩＥＥＥ１３９４ケーブル
２０１  撮像部
２０２  信号処理部
２０３  メイン制御部
２０４  通信制御部
２０５  コネクタ
２０６  内部メモリ
２０７  入力操作制御部
２０８  操作部
２０９  トリガボタン
２１０  表示制御部
２１１  表示部
２１２  記録再生制御部
２１３  バス
３０１  メイン制御部
３０２  内部メモリ
３０３  ＨＤＤ
３０４  入力操作制御部
３０５  入力装置
３０６  通信制御部
３０７  コネクタ
３０８  表示制御部
３０９  表示装置
３１０  データバス
【図１】
2007066383.tif 000003
【図２】
2007066383.tif 000004
【図３】
2007066383.tif 000005
【図４】
2007066383.tif 000006
【図５】
2007066383.tif 000007
【図６】
2007066383.tif 000008